(57)【要約】  本開示は、表示パネル、製造方法及び電子機器を提供する。ここで、前記表示パネルは、順次積層された第１電極層、有機発光層、第２電極層及び駆動層を含む。ここで、第１電極層及び有機発光層は、共に光透過層である。第２電極層に第１光透過領域が設けられている。有機発光層は、複数の画素ユニットを有し、画素ユニットのそれぞれは、第１電極層及び第２電極層に電気的に接続される。駆動層は、画素ユニットの発光を制御し、且つ前記駆動層は、第１光透過領域に対応して設けられた第２光透過領域を有する。【選択図】  図２
2021535579.tif 000002
【特許請求の範囲】
【請求項１】
第１電極層と、第２電極層と、有機発光層と、駆動層とを含む表示パネルであって、
前記第１電極層は、光透過層であり、
前記第２電極層は、前記第１電極層の片側に配置され、第１光透過領域が設けられ、
前記第１電極層、前記有機発光層及び前記第２電極層が順次積層され、前記有機発光層は、複数の画素ユニットを有し、前記画素ユニットのそれぞれは、前記第１電極層及び前記第２電極層に電気的に接続され、前記有機発光層は、光透過層であり、
前記駆動層は、前記第２電極層の前記有機発光層から遠い側に設けられ、前記画素ユニットの発光を制御し、前記駆動層は、前記第１光透過領域に対応して設けられた第２光透過領域を有する、表示パネル。
【請求項２】
前記駆動層は、複数の駆動回路を有し、前記駆動回路は、前記第１電極層及び前記第２電極層のそれぞれに電気的に接続されて前記画素ユニットの発光を制御し、前記駆動回路は、前記第２光透過領域外に設けられている、請求項１に記載の表示パネル。
【請求項３】
前記駆動回路は、複数の第１駆動回路を含み、前記複数の第１駆動回路は、前記第１光透過領域のカバー範囲内に位置する前記画素ユニットの発光を制御し、１つの前記第１駆動回路は、前記第１光透過領域のカバー範囲内の少なくとも２つの前記画素ユニットの同時発光を制御する、請求項２に記載の表示パネル。
【請求項４】
前記第１駆動回路は、前記第２光透過領域を囲むように設けられている、請求項３に記載の表示パネル。
【請求項５】
前記第２電極層は、前記第１光透過領域を形成するための貫通孔が設けられた金属層を有する、請求項１〜４のいずれか１項に記載の表示パネル。
【請求項６】
前記第２電極層には、少なくとも１つの第１光透過領域が設けられ、前記駆動層は、少なくとも１つの第２光透過領域を含み、前記少なくとも１つの第１光透過領域と前記少なくとも１つの第２光透過領域とは、１対１で対応して設けられる、請求項１〜４のいずれか１項に記載の表示パネル。
【請求項７】
請求項１〜６のいずれか１項に記載の表示パネルを含む電子機器。
【請求項８】
前記表示パネルの片側に前記駆動層に隣接して設けられた受光素子を含み、前記受光素子は、第１光透過領域及び第２光透過領域のカバー範囲内に位置する、請求項７に記載の電子機器。
【請求項９】
請求項１〜６のいずれか１項に記載の表示パネルに応用される表示パネルの製造方法であって、
前記第２電極層に第１光透過領域を形成するステップと、前記第１光透過領域と位置が対応する第２光透過領域を前記駆動層に形成するステップとを含み、
前記第２電極層に第１光透過領域を形成するステップは、
前記第２電極層の金属層に貫通孔を設けて前記第２電極層に第１光透過領域を形成するステップを含み、
前記第１光透過領域と位置が対応する第２光透過領域を前記駆動層に形成するステップは、
前記第２電極層の片側に駆動層を形成し、駆動層の駆動回路を前記駆動層の前記第１光透過領域に覆われる範囲外に配置し、前記駆動層の前記第１光透過領域に対応する位置に第２光透過領域を形成するステップを含む、表示パネルの製造方法。
【請求項１０】
エッチング工程で前記金属層に前記貫通孔を形成する、請求項９に記載の表示パネルの製造方法。
【発明の詳細な説明】
【技術分野】
【０００１】
（関連出願の相互参照）
本願は、２０１８年８月２４日に中国特許庁に提出された中国特許出願２０１８１０９７４０６７．３の優先権を主張し、その全ての内容が援用によりここに取り込まれる。
本開示は、表示機器の技術分野に係り、特に表示パネル、製造方法及び電子機器に係る。
【背景技術】
【０００２】
現在、表示パネルは、例えば移動端末やテレビなどの電子機器に広く応用されており、人々の生活において最も重要な電子デバイスの１つとなっており、表示パネルに対する要求も益々高まっている。移動端末を例とすると、関連技術の移動端末上の表示パネルは、光を透過する機能を有しないものが多く、表示パネルと受光素子（例えばカメラ）とを離間して設ける必要があり、例えばフロントカメラが表示パネルの上方に位置し、カメラの正常な動作を保証するために、表示パネルに貫通孔を設ける必要がある。しかし、このような構造によって、表示パネルの表示面積が制限され、画面占有率の向上に不利である。
【発明の概要】
【発明が解決しようとする課題】
【０００３】
本開示の実施例は、関連技術の表示パネルの表示面積が制限されるという問題を解決し、表示パネルの表示面積拡大に有利な表示パネル、製造方法及び電子機器を提供する。
【課題を解決するための手段】
【０００４】
以上の技術問題を解決するために、本開示は、以下のように実現される。
【０００５】
第１態様として、本開示の実施例は、第１電極層と、第２電極層と、有機発光層と、駆動層とを含む表示パネルを提供する。前記第１電極層は、光透過層である。前記第２電極層は、前記第１電極層の片側に配置され、第１光透過領域が設けられている。前記第１電極層、前記有機発光層及び前記第２電極層が順次積層され、前記有機発光層は、複数の画素ユニットを有し、前記画素ユニットのそれぞれは、前記第１電極層及び前記第２電極層に電気的に接続され、前記有機発光層は、光透過層である。前記駆動層は、前記第２電極層の前記有機発光層から遠い側に設けられ、前記画素ユニットの発光を制御し、前記駆動層は、前記第１光透過領域に対応して設けられた第２光透過領域を有する。
【０００６】
第２態様として、本開示の実施例は、第１態様に記載の表示パネルを含む電子機器を更に提供する。
【０００７】
第３態様として、本開示の実施例は、第１態様に記載の表示パネルに応用される表示パネルの製造方法を更に提供し、前記第２電極層に第１光透過領域を形成するステップと、前記第１光透過領域と位置が対応する第２光透過領域を前記駆動層に形成するステップとを含む。前記第２電極層に第１光透過領域を形成するステップは、前記第２電極層の金属層に貫通孔を設けて前記第２電極層に第１光透過領域を形成するステップを含む。前記第１光透過領域と位置が対応する第２光透過領域を前記駆動層に形成するステップは、前記第２電極層の片側に駆動層を形成し、駆動層の駆動回路を前記駆動層の前記第１光透過領域に覆われる範囲外に配置し、前記駆動層の前記第１光透過領域に対応する位置に第２光透過領域を形成するステップを含む。
【発明の効果】
【０００８】
本開示の実施例に係る技術手段では、第１電極層が光透過層であり、第２電極層に第１光透過領域が設けられ、有機発光層が光透過層であることで、該光透過領域によって光透過を実現することができる。第２電極層の両側に有機発光層と駆動層とがそれぞれ設けられ、駆動層が有機発光層の画素ユニットの発光を制御することができ、且つ駆動層に第１光透過領域に対応する第２光透過領域が設けられたことで、本開示の実施例に係る表示パネルは、第１光透過領域及び第２光透過領域に対応する部分で光を透過させるとともに発光表示の機能を備え、該表示パネルを電子機器に応用する場合、第１光透過領域及び第２光透過領域に対応する部分に受光素子を実装することができ、受光素子のレイアウトの自由度が向上し、表示パネルの適用範囲が向上し、表示パネルの表示面積の拡大に寄与する。
【０００９】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００１０】
【図１】本開示の実施例に係る表示パネルの構造図である。
【図２】図１に示す表示パネルの一部断面図である。
【発明を実施するための形態】
【００１１】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００１２】
本開示の実施例は、表示パネルを提供する。図１及び図２を参照し、表示パネル１００は、順次積層された第１電極層１０、有機発光層（図示せず）、第２電極層２０及び駆動層４０を含む。ここで、第１電極層１０及び有機発光層は、共に光透過層である。第２電極層２０に第１光透過領域２１が設けられている。有機発光層は、複数の画素ユニット３１を有し、画素ユニット３１のそれぞれは、第１電極層１０及び第２電極層２０に電気的に接続される。駆動層４０は、画素ユニット３１の発光を制御する。且つ前記駆動層４０は、第１光透過領域２１に対応して設けられた第２光透過領域４１を有する。
【００１３】
本開示の実施例において、第１電極層１０が陰極層であり、第２電極層２０が陽極層であり、画素ユニット３１は、第１電極層１０及び第２電極層２０の双方と導通した状態で発光可能であり、即ち有機発光層を発光させることができる。ここで、第１電極層１０は、透明な材質であり、第２電極層２０に第１光透過領域２１が設けられ、第１光透過領域２１が覆う領域は、光を透過する。また、第１光透過領域２１上は、有機発光層で覆われており、即ち第１光透過領域２１上は、画素ユニット３１で覆われており、第１光透過領域２１の上方も、画素ユニット３１による発光表示が可能となっている。また、駆動層４０の第１光透過領域２１に対応する部分に第２光透過領域４１が設けられ、表示パネル１００の第１光透過領域２１及び第２光透過領域４１に対応する部分で光を透過するようにし、発光表示の機能も備え、表示パネル１００の片側で第１光透過領域２１及び第２光透過領域４１に対応する下方に受光素子を実装しやすくする。これにより、表示パネル１００の適用性が向上し、該表示パネル１００を電子機器に応用する場合にも、受光素子を表示パネル１００の下方に実装して第１光透過領域２１及び第２光透過領域４１を通して受光を行うことができ、表示パネル１００の表示面積を更に拡大することができる。なお、表示パネル１００の対応する非光透過領域１０２は、表示機能を果たすことができる。
【００１４】
例えば、表示パネル１００を移動端末に応用する場合、第１光透過領域２１及び第２光透過領域４１に対応する移動端末の下方にカメラやフラッシュ等の受光素子を実装し、即ち電子機器において表示パネルの面積を受光素子が占める必要がなく、表示パネル１００の大型化及び移動端末の画面占有率の向上に有利である。
【００１５】
本開示の実施例において、表示パネル１００は、第１光透過領域２１及び第２光透過領域４１に対応する光透過領域１０１と、光透過領域１０１を除く光を透過しない非光透過領域１０２とを含む。有機発光層の第１光透過領域２１に対応する画素ユニット３１が発光すると、その領域は、赤色、青色などの純色又は白色、灰色などの色を表示して、表示パネル１００の非光透過領域１０２の表示色と大きく異なることを避け、表示パネル１００の表示効果と美観性を確保する。
【００１６】
本開示の実施例において、駆動層４０は、複数の駆動回路（図示せず）を有し、駆動回路は、第１電極層１０及び第２電極層２０のそれぞれに電気的に接続されて画素ユニット３１の発光を制御し、駆動回路は、第２光透過領域４１外に設けられている。なお、駆動回路は、光を透過しない複数の素子（例えば、薄膜トランジスタ）を含み、駆動回路を第２光透過領域４１外に設けることで、光を透過しない素子が第１光透過領域２１内の領域の透光性に干渉することを避けることができる。駆動回路を第２光透過領域４１外に設け、即ち、第１光透過領域２１の下方に駆動回路を設けず、駆動層４０の第１光透過領域２１に対応する位置には、駆動回路を含まない第２光透過領域４１が形成され、表示パネルの第１光透過領域２１が覆う領域により良好な透光性を有することを確保する。
【００１７】
任意選択で、駆動回路は、複数の第１駆動回路を含み、複数の第１駆動回路は、第１光透過領域２１のカバー範囲内に位置する画素ユニット３１の発光を制御し、１つの第１駆動回路は、第１光透過領域２１のカバー範囲内の少なくとも２つの画素ユニット３１の同時発光を制御する。これにより、有機発光層の第１光透過領域２１のカバー範囲内に対応する画素ユニット３１を、駆動層４０の他の駆動回路とは別に設けられた第１駆動回路によって制御することができる。例えば、第１駆動回路を第２光透過領域４１の周縁に設け、駆動層４０の他の駆動回路を駆動層４０の他の領域に設ける。
【００１８】
例えば、第１駆動回路は、第２光透過領域４１の縁を囲むように設けられる。図２に示すように、第２電極層２０の第１光透過領域２１を除いた部分は、非光透過領域であり、駆動層４０の第２光透過領域４１を除いた部分は、この非光透過領域に対応する。すると、第１駆動回路は、非光透過領域のカバー範囲内に設けられ、第１光透過領域２１の透光性に干渉を与えない。且つ第２光透過領域４１の縁を囲むように駆動回路を設け、例えば、図１に示すように、第１光透過領域２１のカバー範囲内に位置する画素ユニット３１の発光を制御するように、円形の第２光透過領域４１を囲むように第１駆動回路を設ける。
【００１９】
なお、第１駆動回路の設置により、表示パネル１００の該第１駆動回路に対応する部分は、コンテンツを表示することなく、非表示領域となり、黒色を呈する視覚効果である。これにより、第１駆動回路を１つ設けて第１光透過領域２１のカバー範囲の少なくとも２つの画素ユニット３１の同時発光を制御することができ、１つの駆動回路で１つの画素ユニット３１の発光を個別に制御する場合に比べて、第１駆動回路の数を減らすことができ、非表示領域の面積を減らすことができるので、表示パネル１００は、より優れた表示効果を発揮することができる。
【００２０】
本開示の実施例において、第２電極２０の層は、第１光透過領域２１を形成するための貫通孔が設けられた金属層（図示せず）を有する。なお、金属層は、光を透過しない金属材質からなる。表示パネル１００の透光性を実現するために、エッチング工程によって形成された貫通孔が金属層に設けられる。即ち、第２電極層２０に貫通孔が設けられた金属層を有することで、第１光透過領域２１の光透過を実現することができる。
【００２１】
任意選択で、第２電極層２０は、順に設けられた第１フィルム層、金属層及び第３フィルム層を含む。第１フィルム層及び第３フィルム層は、透明な材質からなり、金属層には貫通孔が設けられている。例えば、第１フィルム層は、酸化インジウムスズＩＴＯ（Ｉｎｄｉｕｍ  Ｔｉｎ  Ｏｘｉｄｅ）材質であり、第３フィルム層もＩＴＯ材質であり、金属層は、銀層である。なお、第１光透過領域２１は、第２電極層２０の縁に形成される。又は、図１に示すように、第１光透過領域２１は、非光透過領域に囲まれていてもよい。
【００２２】
任意選択で、第２電極層２０上には少なくとも１つの第１光透過領域２１が設けられ、駆動層４０は、少なくとも１つの第２光透過領域４１を含み、１つの第１光透過領域２１と１つの第２光透過領域４１とは、一対一に対応して設けられる。即ち、表示パネル１００は、少なくとも１つの光透過領域を有する。これにより、表示パネル１００を電子機器に応用する場合、表示パネル１００の光透過領域１０１に対応する下方に受光素子をより良好に配置することができ、受光素子の集中配置を避けることができ、電子機器上の素子の実装やレイアウトを容易にすることができる。
【００２３】
例えば、第２電極層２０の表示パネル１００に対応する上端及び下端にそれぞれ１つの第１光透過領域２１を設け、駆動層４０には、２つの第１光透過領域２１に一対一で対応する２つの第２光透過領域４１が設けられている。表示パネル１００を電子機器に応用する場合、表示パネル１００の一方の光透過領域に対応する下方に２Ｄカメラを設け、表示パネル１００の他方の光透過領域に対応する下方に３Ｄカメラを設ける。これにより、電子機器の機能の多様性を実現し、更に、表示パネル１００の適用範囲も広がる。
【００２４】
もちろん、本発明の構造は、これに限定されず、第１光透過領域２１と第２光透過領域４１は、１対１に対応する他の数、例えば、３個、４個などでもよく、当業者であれば、設置の必要性、コストなどの要素を総合的に考慮して設置することができるが、本発明はこれについて具体的に限定しない。
【００２５】
なお、本開示の実施例に係る表示パネル１００は、バッファ層、基板、封止層などを更に含み、具体的な設置方式及び実現方式は、関連技術の表示パネルを参照し、ここでは繰り返して述べない。
【００２６】
本発明の実施例は、上記実施例に係る表示パネルの各技術手段を含み、同じ技術効果を奏することもできる電子機器を更に提供し、重複を避けるために、ここでは繰り返して述べない。電子機器は、携帯電話、タブレットパソコン、電子ブックリーダー、ＭＰ３プレーヤー、ＭＰ４プレーヤー、デジタルカメラ、ラップトップコンピュータ、車載コンピュータ、デスクトップコンピュータ、セットトップボックス、スマートテレビ、ウェアラブルデバイスのうちの少なくとも１つを含む。
【００２７】
任意選択で、電子機器は、表示パネルの片側に駆動層に隣接して設けられた受光素子を含み、受光素子は、第１光透過領域及び第２光透過領域のカバー範囲内に位置する。即ち、受光素子は、表示パネルの下方に設けられ、表示パネルの光透過領域に対応して設けられることによって、光透過領域を通過する光を受光素子が受光して受光機能を実現し、受光素子の正常な使用を確保することができる。これにより、表示パネルの上方に受光素子を設ける必要がなくなり、表示パネルの大型化、電子機器の画面占有率の向上、移動端末の全画面化に寄与する。
【００２８】
本開示の実施例は、上記実施例に係る表示パネルに応用される表示パネルの製造方法を更に提供する。表示パネルの製造方法は、第２電極層に第１光透過領域を形成するステップと、第１光透過領域と位置が対応する第２光透過領域を駆動層に形成するステップとを含む。ここで、第２電極層に第１光透過領域を形成するステップは、第２電極層の金属層に貫通孔を設けて第２電極層に第１光透過領域を形成するステップを含む。前記第１光透過領域と位置が対応する第２光透過領域を駆動層に形成するステップは、第２電極層の片側に駆動層を形成し、駆動層の駆動回路を駆動層の第１光透過領域に覆われる範囲外に配置し、駆動層の第１光透過領域に対応する位置に第２光透過領域を形成するステップを含む。
【００２９】
ここで、第２電極層は、陽極層である。任意選択で、第２電極層は、順に形成された第１フィルム層、金属層及び第３フィルム層を含む。第１フィルム層及び第３フィルム層は、透明な材質からなる。例えば、第１フィルム層は、酸化インジウムスズＩＴＯ（Ｉｎｄｉｕｍ  Ｔｉｎ  Ｏｘｉｄｅ）材質であり、第３フィルム層もＩＴＯ材質であり、金属層は、銀層又は他の金属材質である。金属層に貫通孔を設けて第２電極層に第１光透過領域を形成し、第２電極層の一部領域の透光性を実現する。
【００３０】
本開示の実施例において、エッチング工程で金属層に貫通孔を形成する。即ち、不透明な金属層の金属材質の一部をエッチングにより除去して第１光透過領域を形成し、エッチングを行わない部分を第２電極層の光非透過領域とする。金属層の端部の一部をエッチングにより除去して第１光透過領域を形成する。又は、金属層の内部の一部の領域をエッチングにより除去し、非光透過領域に囲まれた第１光透過領域を形成する。
【００３１】
また、第２電極層の片側に駆動層を形成し、駆動層の駆動回路を駆動層の前記第１光透過領域のカバー範囲外に配置し、駆動回路が配置されず、第１光透過領域に対応する第２光透過領域を駆動層に形成することにより、表示パネルに光透過領域を形成する。表示パネルを電子機器に応用する場合、表示パネルの光透過領域に対応する下方に受光素子を実装することができ、表示パネルの応用範囲が広がり、表示パネルの表示面積の拡大にも一層寄与する。
【００３２】
本開示の実施例において、表示パネルの製造方法は、第２電極層の片側に有機発光層を形成するステップと、有機発光層の第２電極層とは反対側に第１電極層を形成するステップとを更に含む。
【００３３】
ここで、第１電極層及び有機発光層は、いずれも透明な材質で形成され、有機発光層には、画素ユニットが形成されている。即ち、有機発光層は、第１電極層と第２電極層との間に位置する。なお、第２電極層は、有機発光層で覆われた第１光透過領域が設けられ、光透過領域の上方で、有機発光層の画素ユニットによる発光表示を可能にする。これにより、本開示の実施例による製造方法により製造された表示パネルは、第１光透過領域に対応する部分において光を透過するとともに発光表示を行うことが可能となり、更に表示パネルとしての適用範囲が広がる。
【００３４】
なお、駆動層の駆動回路には、複数の第１駆動回路を含み、第１駆動回路は、第１光透過領域のカバー範囲内に位置する画素ユニットの発光を制御し、１つの第１駆動回路は、第１光透過領域のカバー範囲内の少なくとも２つの画素ユニットの同時発光を制御する。複数の第１駆動回路の全てが第２光透過領域の外に設けられていることにより、第１光透過領域及び第２光透過領域の透光性に干渉を与えることなく、表示パネルの透光性を確保することができる。また、第１光透過領域のカバー範囲内で画素ユニットの発光を制御する第１駆動回路の数を少なくすることができ、第１駆動回路を設けることによる表示パネルの非表示領域の面積を小さくすることができる。
【００３５】
なお、表示パネルの製造方法は、バッファ層、基板、封止層及び薄膜トランジスタを形成するステップを更に含んでもよく、具体的な製造方法及び蒸着原理は、関連技術における製造方法を参照すればよいため、ここで繰り返し述べない。
【００３６】
以上、本開示の具体的な実施形態についてのみ説明したが、本開示の技術的範囲は、これに限定されるものではなく、本開示で開示されている技術的範囲内で当業者であれば容易に想到できる変更又は置換を本開示の保護範囲内に包含するものである。従って、本開示の保護範囲は、特許請求の範囲の保護範囲を基準とするものとする。
【図１】
2021535579.tif 000003
【図２】
2021535579.tif 000004
【国際調査報告】
2021535579.tif 000005
2021535579.tif 000006
2021535579.tif 000007
2021535579.tif 000008